(57)【要約】      （修正有）【課題】ハードディスク用データインターフェースのピッチ変換器を提供する。【解決手段】アダプタ端子と接触端子を備えるアダプタ部１であって、接触端子が、複数本の金属導体の一端において金属導体同士の間隔が大きく、他端において金属導体同士の間隔が小さくなるよう設けられるアダプタ部と、金属導体によって接触端子のうち任意の隣接しない金属導体を連通させる短絡部２と、接触端子を収容する経路及び短絡部を固定するスロットが設けられるベース３と、ベースと組み合わせて使用される蓋体４と、を含み、接触端子の金属導体には延伸部が一つずつ掘設されており、延伸部が接触端子と経路との隙間をちょうど閉塞する。これは、短絡部を設けることで任意の２本又は複数本の回路を臨機応変に接続可能であるとともに、短絡部によって装置体積の小型化が実現される。また、接触端子の金属導体に延伸部を掘設することで、粘体又は異物が接触端子の接触端へ落下することが防止されるため、短絡等の事態を回避可能となる。【選択図】図１
0003220952.tif 000002
【実用新案登録請求の範囲】
【請求項１】
ハードディスク用データインターフェースのピッチ変換器は、
アダプタ端子と接触端子を備えるアダプタ部であって、前記接触端子が複数本の互いに独立した金属導体からなり、前記アダプタ端子が複数本の金属導体からなるとともに、前記複数本の金属導体が、一端において金属導体同士の間隔が大きく、他端において金属導体同士の間隔が小さくなるよう設けられ、前記アダプタ端子における金属導体間の間隔が大きいほうの一端と、前記接触端子における金属導体の一端が一対一で対応するよう接続されるアダプタ部と、
金属導体によって前記接触端子のうち任意の２つ又は複数の隣接しない金属導体を連通させる短絡部と、
前記接触端子を収容する経路及び前記短絡部を固定するスロットが設けられるベースと、
前記ベースに組み合わせて使用され、前記アダプタ部と短絡部を保護するために用いられる蓋体とを含み、
前記接触端子の各金属導体には延伸部が一つずつ掘設されており、前記延伸部が前記接触端子と前記経路との隙間をちょうど閉塞することを特徴とするピッチ変換器。
【請求項２】
前記ベースには、前記アダプタ端子を加熱溶融により固定するための突条が設けられ、前記突条は間隔をあけて前記アダプタ端子の間に設けられることを特徴とする請求項１に記載のハードディスク用データインターフェースのピッチ変換器。
【請求項３】
前記突条の先端には第１ガイド角が設けられ、前記突条の高さは前記突条同士の間隔の０．５〜２倍であることを特徴とする請求項２に記載のハードディスク用データインターフェースのピッチ変換器。
【請求項４】
前記アダプタ端子と接触端子は一体型構造とするか、又は溶接により接続することを特徴とする請求項１に記載のハードディスク用データインターフェースのピッチ変換器。
【請求項５】
前記ベースの両端には位置決め孔が設けられ、前記蓋体には前記位置決め孔に対応する位置決めスタッドが設けられることを特徴とする請求項１に記載のハードディスク用データインターフェースのピッチ変換器。
【請求項６】
前記位置決めスタッドは、基部に位置決めブロックが設けられ、先端部に第２ガイド角が設けられ、前記位置決めスタッドの断面は前記位置決め孔の断面と一致することを特徴とする請求項５に記載のハードディスク用データインターフェースのピッチ変換器。
【請求項７】
前記蓋体は一方の側に第１係合フックが設けられ、他方の側に第１凹溝が設けられ、前記ベースは一方の側に前記第１係合フックと組み合わせて使用される第２凹溝が設けられ、他方の側に前記第１凹溝と組み合わせて使用される第２係合フックが設けられ、前記第１係合フックと前記位置決めブロックは同じ側に位置することを特徴とする請求項６に記載のハードディスク用データインターフェースのピッチ変換器。
【請求項８】
前記蓋体には、前記アダプタ端子を保護するための保護ブロックが設けられることを特徴とする請求項１に記載のハードディスク用データインターフェースのピッチ変換器。
【請求項９】
前記蓋体には、配線を貫通させて収容するための配線孔が設けられることを特徴とする請求項１に記載のハードディスク用データインターフェースのピッチ変換器。
【考案の詳細な説明】
【技術分野】
【０００１】
本考案はコネクタに関し、特に、ハードディスク用データインターフェースのピッチ変換器に関する。
【背景技術】
【０００２】
従来のコネクタには標準化されているものがある一方で、依然として個別のカスタマイズが必要なものも存在する。標準化コネクタとカスタマイズコネクタでは端子間のピッチ（Ｐｉｔｃｈ）が異なるため、これらを突き合わせ接続するためには、電線溶接を用いるか、或いはプリント基板によってピッチ変換するのが一般的である。しかし、このような変換は構造を複雑化させるだけでなく、コストが嵩み、生産や組み立ての効率が悪い。
【考案の概要】
【考案が解決しようとする課題】
【０００３】
従来技術の瑕疵に対し、本願ではハードディスク用データインターフェースのピッチ変換器を提供する。
【課題を解決するための手段】
【０００４】
上記の目的を実現するために、本願では以下の技術方案を用いた。
【０００５】
ハードディスク用データインターフェースのピッチ変換器は、アダプタ端子と接触端子を備えるアダプタ部であって、前記接触端子が複数本の互いに独立した金属導体からなり、前記アダプタ端子が複数本の金属導体からなるとともに、前記複数本の金属導体が、一端において金属導体同士の間隔が大きく、他端において金属導体同士の間隔が小さくなるよう設けられ、前記アダプタ端子における金属導体間の間隔が大きいほうの一端と、前記接触端子における金属導体の一端が一対一で対応するよう接続されるアダプタ部と、金属導体によって前記接触端子のうち任意の２つ又は複数の隣接しない金属導体を連通させる短絡部と、前記接触端子を収容する経路及び前記短絡部を固定するスロットが設けられるベースと、前記ベースに組み合わせて使用され、前記アダプタ部と短絡部を保護する蓋体とを含み、前記接触端子の各金属導体には延伸部が一つずつ掘設されており、前記延伸部が前記接触端子と前記経路との隙間をちょうど閉塞する。
【０００６】
好ましくは、前記ハードディスク用データインターフェースのピッチ変換器において、前記ベースには、前記アダプタ端子を加熱溶融により固定するための突条が設けられ、前記突条は間隔をあけて前記アダプタ端子の間に設けられる。
【０００７】
好ましくは、前記ハードディスク用データインターフェースのピッチ変換器において、前記突条の先端には第１ガイド角が設けられ、前記突条の高さは前記突条同士の間隔の０．５〜２倍である。
【０００８】
好ましくは、前記ハードディスク用データインターフェースのピッチ変換器において、前記アダプタ端子と接触端子は一体型構造とするか、又は溶接により接続する。
【０００９】
好ましくは、前記ハードディスク用データインターフェースのピッチ変換器において、前記ベースの両端には位置決め孔が設けられ、前記蓋体には前記位置決め孔に対応する位置決めスタッドが設けられる。
【００１０】
好ましくは、前記ハードディスク用データインターフェースのピッチ変換器において、前記位置決めスタッドは、基部に位置決めブロックが設けられ、先端部に第２ガイド角が設けられ、前記位置決めスタッドの断面は前記位置決め孔の断面と一致する。
【００１１】
好ましくは、前記ハードディスク用データインターフェースのピッチ変換器において、前記蓋体は一方の側に第１係合フックが設けられ、他方の側に第１凹溝が設けられ、前記ベースは一方の側に前記第１係合フックと組み合わせて使用される第２凹溝が設けられ、他方の側に前記第１凹溝と組み合わせて使用される第２係合フックが設けられ、前記第１係合フックと前記位置決めブロックは同じ側に位置する。
【００１２】
好ましくは、前記ハードディスク用データインターフェースのピッチ変換器において、前記蓋体には、前記アダプタ端子を保護するための保護ブロックが設けられる。
【００１３】
好ましくは、前記ハードディスク用データインターフェースのピッチ変換器において、前記蓋体には、配線を貫通させて収容するための配線孔が設けられる。
【考案の効果】
【００１４】
本考案によれば、以下の有益な効果を得られる。
１）本願によれば、ピッチの臨機応変な変換を実現可能であり、大ピッチを小ピッチに変換できる。
２）本願では短絡部を設けることで、接続端子の構造を新たに設計し直さずとも、臨機応変に任意の２本又は複数本の回路を接続可能である。また、短絡部によって装置体積の小型化を実現可能となる。
３）接触端子の金属導体に延伸部を掘設することで、粘体又は異物が接触端子の接触端へ落下することが防止されるため、短絡等の事態を回避可能となる。更には、当該延伸部自体が金属導体の一部であるため、金属導体の作製時に同時に押圧成形することが可能である。よって、工程が省略され、コスト削減につながる。
４）ベースに突条を設けることで、突条が加熱溶融されるとアダプタ端子の金属導体が適切に固定されるため、金属導体の浮き上がりが防止される。また、突条の先端部にガイド角を設けることで、押圧及び加熱溶融時において、溶融された粘体が均一に両側へ拡散し、アダプタ端子の金属導体表面が確実に覆われる。更には、金属導体の取り付け時にガイド作用が奏されることから、金属導体をスムーズに２つの突条間の領域に進入させられ、組み立て効率が高まる。また、突条の寸法を的確に設定することで、加熱溶融後の突条の粘体量が、金属導体を適切に覆って固定可能な量に制御され、粘体が溢れたり不足したりとの事態が生じることがない。
５）ガイド角を備える位置決めスタッド及び位置決めブロックを設けることで、組み立て過程において蓋体がより容易に位置決め孔に導入される。また、位置決めブロックによってベースと蓋体との安定的な接続を実現可能となる。
６）蓋体の一方の側に係合フック構造を設け、他方の側に凹溝構造を設ける設計によれば、組み立て時にまず蓋体が一定角度傾斜することで一方の側に予め固定されるため、他方の側の係合フックを係合しやすくなる。このような組み立てによれば、組み立て効率が高く、係合フック等のプラスチック部品が損傷しにくく、歩留り率が高いとのメリットがある。
【図面の簡単な説明】
【００１５】
【図１】図１は、ハードディスク用データインターフェースのピッチ変換器における分解図である。
【図２】図２は、ハードディスク用データインターフェースのピッチ変換器におけるアダプタ部１の構造を示す図である。
【図３】図３は、ハードディスク用データインターフェースのピッチ変換器におけるベース３の構造を示す図である。
【図４】図４は、ハードディスク用データインターフェースのピッチ変換器における蓋体４の構造を示す図である。
【図５】図５は、ハードディスク用データインターフェースのピッチ変換器におけるベース３と蓋体４の閉合時の構造を示す図である。
【図６】図６は、ハードディスク用データインターフェースのピッチ変換器における断面図である（蓋体４を含まない）。
【図７】図７は、ハードディスク用データインターフェースのピッチ変換器が蓋体４を含まない場合の構造を示す図である。
【図８】図８は、図７のＡ部分の拡大図である。
【図９】図９は、アダプタ端子５と接触端子６が分割式の場合の構造を示す図である。
【考案を実施するための形態】
【００１６】
以下に、当業者が明細書の記載を参照して実施可能なように、図面を組み合わせて本考案につき更に詳細に説明する。
【００１７】
図１〜９に示すように、本願で提示する一実施例におけるハードディスク用データインターフェースのピッチ変換器は以下を含む。
【００１８】
アダプタ部１がアダプタ端子５と接触端子６を備え、接触端子６が複数本の互いに独立した金属導体からなる。アダプタ端子５は複数本の金属導体からなり、複数本の金属導体が、一端において金属導体同士の間隔が大きく、他端において金属導体同士の間隔が小さくなるよう設けられることで、大ピッチを小ピッチに変換するようピッチ変換を実現する。これにより、製品コストが削減される。また、アダプタ端子５における金属導体間の間隔が大きいほうの一端と、接触端子６における金属導体の一端が一対一で対応するよう接続される。
【００１９】
短絡部２は、金属導体によって、接触端子６のうち任意の２つ又は複数の隣接しない金属導体を連通させる。なお、短絡部２は隣接しない金属導体の連通に限らず、隣接する２つの導体を連通させることも可能である。ただ、隣接する２つの金属導体を連通させる場合には短絡部２によらずとも、アダプタ端子５において隣接する２つの金属導体を連通させればよい。このようにすれば、体積をとられることもなくなる。よって、本願では、短絡部２は隣接しない金属導体の連通を主な作用とする。
【００２０】
ベース３には、接触端子６を収容する経路７及び短絡部２を固定するスロット８が設けられる。
【００２１】
蓋体４は、ベース３に組み合わせて使用され、アダプタ部１と短絡部２を保護するために用いられる。
【００２２】
接触端子６の各金属導体には延伸部９が一つずつ掘設されており、延伸部９が接触端子６と経路７との隙間をちょうど閉塞するようになっている。従来技術ではこの隙間の処理方式として、隙間部分に閉塞ブロックを別途追加するのが主流であった。しかし、この場合には部品として閉塞ブロックが余分に必要となるだけでなく、工程が増えるため、生産コストが増大してしまう。そこで、本願では金属導体そのものから延伸部９を掘り起こすことにした。当該延伸部９は、埃や異物、粘体からの防護作用を奏するほか、アダプタ部１の組み立て時に当該隙間に対する閉塞処理を自動的に完了する。よって、原材料を十分に活用しつつ、工程一つ分が省略される。
【００２３】
本願の他の実施例として、ベース３には、アダプタ端子５を加熱溶融により固定するための突条１０が設けられる。突条１０は、間隔をあけてアダプタ端子５の間に設けられる。突条１０は加熱溶融型プラスチックであり、熱圧により軟化してアダプタ端子５の表面に向かって流れ、冷却されることでアダプタ端子５をしっかりとベース３上に固定可能である。突条１０は、アダプタ端子５の金属導体間における短絡発生を防止可能とする。
【００２４】
本願の更に別の実施例として、突条１０の先端には第１ガイド角１１が設けられる。また、突条１０の高さは突条１０同士の間隔の０．５〜２倍とする。第１ガイド角１１は、突条１０が熱圧により加熱溶融される際に、溶融されたプラスチック粘体が均一に両側へ拡散されて、アダプタ端子５の金属導体表面を覆うよう保証するためのものである。突条１０の高さと突条１０同士の間隔との比率範囲を的確に限定することで、突条１０の突出部分における粘体含有量が限定される。これにより、加熱溶融後の突条の粘体量が、金属導体を適切に覆って固定可能な量に制御され、粘体が溢れたり不足したりすることがない。
【００２５】
本願の更に別の実施例として、好ましくは、アダプタ端子５と接触端子６は一体型構造とするか（図２参照）、或いは、溶接により接続される分割型構造（図９参照）とする。
【００２６】
本願の更に別の実施例として、ベース３の両端には位置決め孔１２が設けられ、蓋体４には位置決め孔１２に対応する位置決めスタッド１３が設けられる。
【００２７】
本願の更に別の実施例として、位置決めスタッド１３は基部に位置決めブロック１４が設けられ、先端部に第２ガイド角１５が設けられる。位置決めスタッド１３の断面は位置決め孔１２の断面と一致する。第２ガイド角１５は、組み立て時に位置決めスタッド１３の先端部が位置決め孔１２に進入しやすいようガイド作用を奏する。続いて、位置決めブロック１４によって位置が堅固に規制される。
【００２８】
本願の更に別の実施例として、蓋体は一方の側に第１係合フック１６が設けられ、他方の側に第１凹溝１７が設けられる。また、ベースは一方の側に第１係合フック１６と組み合わせて使用される第２凹溝１８が設けられ、他方の側に第１凹溝１７と組み合わせて使用される第２係合フック１９が設けられる。第１係合フック１６と位置決めブロック１４は同じ側に位置する。このような構造設計によれば、組み立て時にまず第１凹溝１７と第２係合フック１９が係合されて、蓋体４とベース３とが傾斜角を形成する。当該傾斜角は、位置決め孔１２への位置決めスタッド１３の進入をガイドするために役立つ。最後に、第１係合フック１６と第２凹溝１８の係合が完了する。このように組み立てれば、蓋体４とベース３を垂直に上下させて係合させる場合よりも迅速化するとのメリットがある。更に、このような組み立て方式によれば、係合フックに作用する力が減少するため、係合フックのような小さくて精密な部品が容易に破損することがなくなる。よって、組み立て効率が向上し、最終製品の不良率も低下する。
【００２９】
本願の更に別の実施例として、蓋体にはアダプタ端子を保護するための保護ブロック２０が設けられる。当該保護ブロック２０は、主として埃や異物からの防護作用を奏する。
【００３０】
本願の更に別の実施例として、蓋体には配線を貫通させて収容するための配線孔２１が設けられる。
【００３１】
ハードディスク用データインターフェースのピッチ変換器の生産手順としては、原材料の打ち抜き成形−射出成形−電気めっき−組み立て−検査−梱包−出荷のステップがある。
【００３２】
本考案の実施方案を上述のとおり開示したが、これらは明細書及び実施形態のみならず、本考案に適応する各種分野に適用可能であり、当業者であればその他の変更を容易に実現可能である。よって、実用新案登録請求の範囲及び等価の範囲において限定される一般的概念から逸脱しないことを前提に、本考案は特定の詳細事項やここで提示及び記載した図面に限定されない。
【図１】
0003220952.tif 000003
【図２】
0003220952.tif 000004
【図３】
0003220952.tif 000005
【図４】
0003220952.tif 000006
【図５】
0003220952.tif 000007
【図６】
0003220952.tif 000008
【図７】
0003220952.tif 000009
【図８】
0003220952.tif 000010
【図９】
0003220952.tif 000011